(57)【要約】【課題】消火器の転倒を確実に防止できる消火器設置台を提供する。【解決手段】消火器５を載置して設置面上に位置する載置台２と、載置台２に一体的に設けられ、少なくとも消火器５の上下方向において重心以上の位置で消火器５を外周側から保持する保持部３と、載置台２の底面２１に設けられ設置面に摺動自在に接する平面からなる摺接部（底面２１）とを備える。載置台２がその底面２１を介して設置面に対して摺動することにより、設置面から載置台２への揺れの入力を抑制でき、しかも保持部３によって消火器５を重心以上の位置で外周側から安定的に保持するので、消火器５の転倒を確実に防止できる。【選択図】  図１
2015181558.tif 000002
【特許請求の範囲】
【請求項１】
消火器を載置して設置面上に位置する載置台と、
前記載置台に一体的に設けられ、少なくとも前記消火器の上下方向において重心以上の位置で前記消火器を外周側から保持する保持部と、
前記載置台の底面に設けられ前記設置面に摺動自在に接する平面からなる摺接部と、
を備えることを特徴とする消火器設置台。
【請求項２】
請求項１記載の消火器設置台であって、
前記保持部は、前記載置台上に立設され、上端部が前記上下方向において前記消火器の重心以上に位置して内部に前記消火器を収容保持する保持筒部と、該保持筒部の内周に設けられて前記消火器の外周を支持する支持部材とを有する、
ことを特徴とする消火器設置台。
【請求項３】
請求項１又は２記載の消火器設置台であって、
前記支持部材は、弾性体である、
ことを特徴とする消火器設置台。
【請求項４】
請求項２又は３記載の消火器設置台であって、
前記支持部材は、前記消火器の重心以上の位置に配置された第１支持部材と、前記消火器の重心よりも下方に配置された第２支持部材とを備える、
ことを特徴とする消火器設置台。
【請求項５】
請求項１〜４の何れか一項に記載の消火器設置台であって、
前記載置台の径は、前記保持部の径よりも大きく、
前記保持部は、前記載置台の中心部に位置する、
ことを特徴とする消火器設置台。
【請求項６】
請求項１〜５の何れか一項に記載の消火器設置台であって、
前記載置台の径は、前記消火器の重心と前記設置面との間の前記上下方向の寸法をｈ、前記載置台の半径をＲ、前記載置台の底面と前記設置面との間の摩擦係数をμとした場合に、Ｒ≧μ・ｈを満たすように設定される、
ことを特徴とする消火器設置台。
【請求項７】
請求項１〜６の何れか一項に記載の消火器設置台であって、
前記載置台の外周端部は、外周縁に向けて漸次肉厚が減少して前記載置台の底面を前記設置面から離反させる弧状形状である、
ことを特徴とする消火器設置台。
【請求項８】
請求項１〜７の何れか一項に記載の消火器設置台であって、
前記載置台の摺接部は、前記設置面との摩擦係数を調整可能な調整部材である、
ことを特徴とする消火器設置台。
【発明の詳細な説明】
【技術分野】
【０００１】
本発明は、床面等の設置面からの揺れの入力を低減して転倒防止を図る消火器設置台に関する。
【背景技術】
【０００２】
消火器設置台としては、例えば特許文献１に、消火器の転倒を防止可能な消火器転倒防止器具が開示されている。
【０００３】
この消火器転倒防止器具は、床面等の設置面に固定された基台の上方に、連結具を介して環状部が設けられている。消火器を設置する際は、環状部内に消火器の胴体部が入るようにして基台の上に消火器を置く。これにより、地震で揺れた場合等にも、消火器の胴体部を環状部で支えることで消火器の転倒を防止することができる。
【０００４】
しかしながら、この消火器転倒防止具は、地震等の揺れに対する耐震のために、基台を設置面に強固に固定する必要があるが、両面テープ等の強度、設置面に対する固定状況などによっては、十分な耐震強度が得られない場合もあり、消火器の転倒を防止するのには限界があった。
【先行技術文献】
【特許文献】
【０００５】
【特許文献１】特開２００９−２２８１８１号公報
【発明の開示】
【発明が解決しようとする課題】
【０００６】
解決しようとする問題点は、耐震により消火器の転倒防止を図るには限界があった点である。
【課題を解決するための手段】
【０００７】
本発明は、消火器の転倒を確実に防止できるようにするために、消火器を載置して設置面上に位置する載置台と、前記載置台に一体的に設けられ、少なくとも前記消火器の上下方向において重心以上の位置で前記消火器を外周側から保持する保持部と、前記載置台の底面に設けられ前記設置面に摺動自在に接する平面からなる摺接部とを備えることを特徴とする。
【発明の効果】
【０００８】
本発明の消火器設置台では、載置台がその底面の摺接部を介して設置面に対して摺動することにより、設置面から載置台への揺れの入力を抑制でき、しかも保持部によって消火器を重心以上の位置で外周側から安定的に保持するので、消火器の転倒を確実に防止できる。
【図面の簡単な説明】
【０００９】
【図１】消火器設置台を消火器と共に示す斜視図である。（実施例１）
【図２】図１の消火器設置台を示す斜視図である。（実施例１）
【図３】図１の消火器設置台を示す側面図である。（実施例１）
【図４】図１の消火器設置台を示す平面図である。（実施例１）
【図５】図４の消火器設置台のＡ−Ａ線による断面図である。（実施例１）
【図６】載置台の底面の径の設定を示す説明図である。（実施例１）
【図７】実施例２に係る消火器設置台の要部側面図である。
【発明を実施するための形態】
【００１０】
消火器の転倒を確実に防止するという目的を、載置台に一体的に設けられた保持部によって、少なくとも消火器の上下方向において重心以上の位置で消火器を外周側から保持すると共に、載置台の底面に設けられた平面からなる摺接部が設置面に摺動自在に接する消火器設置台により実現した。
【実施例１】
【００１１】
［消火器設置台の構造］
図１は、消火器設置台を消火器と共に示す斜視図である。図２は、図１の消火器設置台を示す斜視図、図３は、同側面図、図４は、同平面図であり、図５は、図４の消火器設置台のＡ−Ａ線による断面図である。
【００１２】
図１に示すように、本実施例の消火器設置台１は、消火器５を床面等の設置面上に設置するものである。設置対象の消火器５は、例えば、円筒状の本体容器５１の上部にキャップ５２を介してレバー５３やホース５４等を備え、非使用時にホース５４が本体容器５１に沿って保持された可搬型のものである。
【００１３】
本実施例の消火器設置台１は、図１〜図５に示すように、載置台２と、保持部３とを備える。
【００１４】
載置台２は、例えば樹脂製の矩形板状体であり、消火器設置台１の底壁部を構成する。本実施例の載置台２は、平面四角形となっている。載置台２の上面は、消火器５を載置させる平面となっており、載置台２の底面２１は、全体として設置面に摺動自在に接する摺接部としての平面となっている。従って、本実施例の載置台２は、底面２１を設置面に対して摺動させることにより、地震等の横揺れ（水平方向の揺れ）の入力を抑制することを可能とする。かかる摺動は、摺接部である載置台２の底面２１の径の設定により実現でき、詳細については、後述する。
【００１５】
かかる載置台２には、その上面から上方に向けて保持部３が立設されている。なお、載置台２の上面には、情報表示用のプレートを支持するためのプレート支持部４も立設されている。
【００１６】
保持部３は、保持筒部３２と、支持部材３３とを備えている。
【００１７】
保持筒部３２は、例えば樹脂製の中空円筒体からなり、内部に消火器５を収容保持する。本実施例の保持筒部３２は、載置台２の中心部に一体に設けられ、載置台２の上面の消火器５が載置される領域を囲むように位置している。これにより、消火器５が載置台２の中心部において保持される。保持筒部３２の径は、載置台２の径（辺）よりも小さく設定されている。換言すると、載置台２の径は、保持部３の径よりも大きく、載置台２の外周が保持筒部３２の外周から径方向に突出している。
【００１８】
保持筒部３２は、上下方向において消火器５の重心以上に上端部３１を位置させるように延設されている。本実施例においては、保持筒部３２の上端部３１が消火器５の重心を越えて位置する。これに応じ、保持筒部３２には、消火器５を設置した状態で、消火器５の側方に位置するホース５４を避けるスリット３５が形成されている。なお、スリット３５に代えて、保持筒部の一部を径方向に膨出させてホース５４を避ける構成とすることも可能である。この構成は、スリット３５を設ける場合よりも、保持筒部３２の強度上、有利である。
【００１９】
保持筒部３２の外周には、周方向で所定間隔毎に配置された補強用の複数のリブ３６ａ〜ｄが一体に設けられている。本実施例のリブ３６ａ〜ｄは、載置台２の矩形状の角部に対応して配置されいる。これらリブ３６ａ〜ｄは、上下方向に沿って延設され、下端部が載置台２に一体に結合されている。
【００２０】
保持筒部３２の内周には、支持部材３３が固定されている。支持部材３３は、消火器５の外周を支持するものであり、弾性を有する材料、例えばスポンジのような発泡性樹脂等で構成される。本実施例の支持部材３３は、第１支持部材３３ａと、第２支持部材３３ｂとを備える。
【００２１】
第１支持部材３３ａは、消火器５の重心以上の位置に配置され、保持筒部３２の内周に沿って設けられた環状に形成されている。この第１支持部材３３ａの内周面が消火器５に当接することにより、保持部３は、少なくとも消火器５の重心以上の位置で消火器５を外周側から保持する。本実施例では、第１支持部材３３ａが保持筒部３２の上端部３１内周に設けられ、消火器５を重心を越える位置で支持している。
【００２２】
第２支持部材３３ｂは、消火器５の重心よりも下方に配置され、第１支持部材３３ａと同様に保持筒部３２の内周に沿って設けられた環状に形成されている。この第２支持部材３３ｂの内周面が消火器５に当接することにより、保持部３は、消火器５の重心よりも下方の位置で消火器５を外周側から保持する。本実施例では、第２支持部材３３ｂが保持部筒３２の下端部内周に設けられ、消火器５の下端部を支持している。
【００２３】
第１及び第２支持部材３３ａ、３３ｂの配置位置は、本実施例に限られるものではなく、例えば、消火器５の上下中間部において、重心を挟む上下両側に配置しても良い。
［載置台の底面（摺動部）の径の設定］
図６は、載置台の底面の径の設定を示す説明図である。
【００２４】
本実施例の消火器設置台１は、上述のように、地震等により設置面が揺れた場合に、載置台２の底面２１が設置面に対して摺動する。これにより、消火器設置台１は、載置台２への設置面の横揺れの入力を抑制して転倒しないようになっている。
【００２５】
ここで、設置面の揺れ（横揺れ）の入力に対して消火器５が転倒しない状態（均衡状態）に維持するためには、載置台２の半径Ｒと、設置面から消火器５の重心Ｐまでの上下方向の寸法ｈと、載置台２の底面２１と設置面との間の摩擦係数μとの関係を以下の式（１）とする必要がある。なお、載置台２の半径Ｒ（底面２１の半径）は、例えば、図２〜図５における載置台２の辺の長さの半分に相当する。また、摩擦係数μは、例えば０．３となっている。
【００２６】
μ＝Ｒ／ｈ  ……  （１）
また、式（１）から、消火器５を転倒させずに設置面に対して載置台２の底面２１を摺動させ得る摩擦係数μは、以下の式（２）により表すことができる。
【００２７】
μ≦Ｒ／ｈ  ……  （２）
この式（２）から載置台２の半径Ｒは、以下の式（３）を満たせば、消火器５を転倒させずに設置面に対して載置台２の底面２１を摺動させ得ることが分かる。
【００２８】
Ｒ≧μ・ｈ  ……  （３）
従って、本実施例においては、載置台２の径（直径）２Ｒは、摩擦係数μと設置面から消火器５の重心Ｐまでの上下方向の寸法ｈとを考慮し、上記式（３）を満足する値に設定されることが望ましい。
［消火器の転倒防止］
本実施例の消火器設置台１は、図１及び図５に示す消火器５の設置状態で地震等による横揺れ（水平方向の揺れ）が生じると、設置面から載置台２に対して横揺れが入力される。
【００２９】
このとき、載置台２の底面２１が設置面に対して摺動するので、載置台２に対する横揺れの入力を抑制（低減）して、免震により消火器５及び消火器設置台１の転倒が防止される。
【００３０】
特に、本実施例では、載置台２の底面２１の径２Ｒが、摩擦係数μと設置面から消火器５の重心Ｐまでの上下方向の寸法ｈとの関係において、上記式（３）を満たすように設定されているので、設置面に対して載置台２の底面２１を摺動させて消火器５及び消火器設置台１の転倒が確実に防止される。
【００３１】
載置台２に横揺れが入力されると、載置台２から保持部３の保持筒部３２並びに第１及び第２支持部材３３ａ及び３３ｂを介して消火器５にも横揺れが入力される。
【００３２】
この入力の際は、保持筒部３２内周の第１及び第２支持部材３３ａ及び３３ｂを介して載置台２からの横揺れが緩衝又は吸収される。結果として、消火器５自体の横揺れが抑制されて、消火器５及び消火器設置台１の転倒防止が図られる。
【００３３】
このとき、保持筒部３２及び第１及び第２支持部材３３ａ及び３３ｂが、消火器５の本体部５１を外周側から保持しているので、地震時等のように消火器５の周方向の複数箇所から複雑に横揺れが入力されても確実に緩衝又は吸収される。また、消火器５に対して入力される横揺れは、その緩衝又は吸収時に環状の第１及び第２支持部材３３ａ及び３３ｂによって周方向に分散される。従って、消火器５自体の横揺れが更に抑制されて、消火器５及び消火器設置台１の転倒防止が図られる。
【００３４】
入力された横揺れによって消火器５自体が横揺れした場合、消火器設置台１は、消火器５を重心を越える位置及び下端部で保持しているので、消火器５を安定的に保持して転倒を防止する。
【００３５】
このとき、消火器５の横揺れが第１及び第２支持部材３３ａ及び３３ｂによって緩衝又は吸収されるから、より確実に消火器５の転倒防止が図られる。
【００３６】
また、第１及び第２支持部材３３ａ及び３３ｂによって緩衝又は吸収される横揺れは、消火器５への横揺れの入力時と同様に、環状の第１及び第２支持部材３３ａ及び３３ｂによって周方向に分散される。
【００３７】
しかも、かかる消火器５の横揺れの緩衝又は吸収時には、載置台２と消火器５との間で横揺れにずれが生じ、両者間での横揺れが揺れ幅等によっては相殺される。
【００３８】
こうして、本実施例の消火器設置台１は、地震等による横揺れがあっても、消火器５への横揺れの入力及び消火器５自体の横揺れを抑制することで、消火器５を含めた全体としての転倒防止を図ることができる。
［実施例１の効果］
本実施例の消火器設置台１では、消火器５を載置して設置面上に位置する載置台２と、載置台２に一体的に設けられ、少なくとも消火器５の上下方向において重心以上の位置で消火器５を外周側から保持する保持部３と、載置台２の底面２１に設けられ設置面に摺動自在に接する平面からなる摺接部（底面２１）とを備えている。
【００３９】
従って、本実施例では、載置台２の底面２１が設置面に対して摺動することにより、設置面から載置台２へ横揺れが入力されることを抑制でき、消火器５を含めた全体としての転倒を確実に防止できる。
【００４０】
また、本実施例では、保持部３によって消火器５を重心以上の位置で外周側から安定的に保持するので、消火器５に横揺れが入力されても、消火器５を確実に保持して転倒防止を図ることができる。
【００４１】
また、本実施例では、保持部３が載置台２上に立設されると共に上端部３１が上下方向において消火器５の重心以上に位置して内部に消火器５を収容保持する保持筒部３２と、保持筒部３２の内周に設けられて消火器５の外周を支持する支持部材３３とを有する。
【００４２】
従って、本実施例では、消火器５を保持筒部３２内に収容保持した状態で支持部材３３によって重心以上の位置で外周から支持することができ、より安定的に消火器５を保持して転倒防止を図ることができる。
【００４３】
また、本実施例では、支持部材３３が弾性体であるから、消火器５への揺れの入力及び消火器５自体の揺れに対する緩衝又は吸収を行うことができ、消火器５の転倒防止と消火器５が保持部３側からの反力によって損傷することを防止できる。
【００４４】
また、本実施例では、支持部材３３は、消火器５の重心以上の位置に配置された第１支持部材３３ａと、消火器５の重心よりも下方に配置された第２支持部材３３ｂとを備える。
【００４５】
従って、本実施例では、消火器５の本体容器５１を重心位置の上下２箇所で支持し、より安定的に消火器５を保持して転倒防止を図ることができる。
【００４６】
また、本実施例では、載置台２の径が保持部３の径よりも大きく、保持部３が載置台２の中心部に位置するものである。
【００４７】
従って、本実施例では、保持部３をその下方でより大きな径を持つ載置台２で支える構造により、消火器設置台１が転倒することを確実に防止することができる。
【００４８】
また、本実施例では、載置台２の径２Ｒが、消火器５の重心と設置面との間の上下方向の寸法をｈ、載置台２の半径をＲ、載置台２の底面２１と設置面との間の摩擦係数をμとした場合に、Ｒ≧μ・ｈを満たすように設定される。
【００４９】
従って、本実施例では、設置面に対して載置台２の底面２１を確実に摺動させて消火器５及び消火器設置台１の転倒が確実に防止される。また、本実施例の消火器設置台１は、載置台２の径の設定により、各種の材質の設置面、例えば絨毯やフローリング等に極めて容易に対応させることができる。
【実施例２】
【００５０】
図７は、実施例２に係る消火器設置台の要部側面図である。なお、実施例２の基本的な構造は、実施例１と同様であり、同一構成部分には、同符号を付し、対応する構成部分には、同符号にＡを付し、重複した説明は省略する。
【００５１】
本実施例の消火器設置台１Ａは、実施例１に対し、載置台２Ａの外周端部を面取り部２１１として構成したものである。
【００５２】
面取り部２１１は、載置台２Ａの外周縁に向けて漸次肉厚が減少して、載置台２Ａの底面２１Ａを設置面から離反させる弧状形状である。この面取り部２１１は、設置面に対する載置台２Ａの摺動時の引っ掛かりを防止し、載置台２Ａを円滑且つ確実に摺動可能とする。また、面取り部２１１は、設置面上に段差等があっても、その段差等を乗り越え易くする。
【００５３】
また、本実施例では、載置台２Ａの底面２１Ａが、摺接部としての調整部材２１２を有する。調整部材２１２は、設置面に対して摺接するシート状の部材であり、設置面との間の摩擦係数μを調整可能とする。
【００５４】
例えば、調整部材２１２は、載置台２Ａを設置面としてのフローリング上に設置する場合に、載置台２Ａが滑り過ぎないように摩擦係数μを調整することができる。この場合の摩擦係数μは、実施例１の式（３）に基づいて設定されるが、本実施例において例えば０．３に設定される。
【００５５】
本実施例では、載置台２Ａの外周端部が弧状形状の面取り部２１１を有するから、設置面に対する載置台２Ａの摺動時の引っ掛かりを防止し、載置台２Ａを円滑且つ確実に摺動させることができる。このため、本実施例では、より確実に消火器５を含めた全体としての転倒を防止できる。しかも、面取り部２１１は、設置面上に凹凸等が存在してもそれを乗り越えて載置台２Ａを摺動させることもでき、より確実に消火器５を含めた全体としての転倒を防止できる。
【００５６】
また、本実施例では、載置台２Ａの底面２１Ａに摺接部としての調整部材２１２を設けたため、例えば絨毯やフローリング等、設置面の材質等に合わせて適切な摩擦係数μを容易に設定でき、消火器設置台１Ａの滑りすぎを防止して人や物等に衝突するような事態を回避できる。
【００５７】
その他、本実施例でも、上記実施例１と同様の作用効果を奏することができる。
【符号の説明】
【００５８】
１、１Ａ  消火器設置台
２、２Ａ  載置台
２１、２１Ａ  底面
２１１  外周端部
２１２  調整部材
３、３Ａ  保持部
３２  保持筒部
３２１  第１保持筒部
３２２  第２保持筒部
３３  支持部材
３３ａ  第１支持部材
３３ｂ  第２支持部材
【図１】
2015181558.tif 000003
【図２】
2015181558.tif 000004
【図３】
2015181558.tif 000005
【図４】
2015181558.tif 000006
【図５】
2015181558.tif 000007
【図６】
2015181558.tif 000008
【図７】
2015181558.tif 000009